(57)【要約】【課題】テーブル上に載置した切断材に対して工具本体部を上下動させて切断加工を行う卓上切断機において、テーブル上には切断材をテーブル面方向に位置決めするための位置決めフェンスが設けられている。本発明は、回転刃具に極力近い範囲まで位置決め面を位置させる一方、傾斜切りの場合には位置決め面を大きく退避できるようにしてその使い勝手を高めることを目的とする。【解決手段】テーブルの上方に移動不能に固定された基台部５３と、左右にスライド可能な第２可動フェンス５２と、第２可動フェンス５２に上下に回動可能に支持された第１可動フェンス５１を備え、第１可動フェンス５１のみを上方へ回動して退避させた状態と、第１及び第２可動フェンス５１，５２をともに退避させた状態を選択できるようにする。【選択図】図３
2015123542.tif 000002
【特許請求の範囲】
【請求項１】
切断材を載置するテーブルと、該テーブルに支持された工具本体部と、前記テーブルに載置した切断材を当接させてテーブル面方向に位置決めする位置決めフェンスを備えた卓上切断工具であって、
前記位置決めフェンスは、基台部と、該基台部に対してそれぞれ移動可能な第１及び第２可動フェンスを備え、該基台部と前記第１可動フェンスと前記第２可動フェンスの少なくとも一つに前記切断材を当接させてテーブル面方向に位置決めするための位置決め面を備えており、
前記第１可動フェンスは、前記第２可動フェンスの移動とは独立して回動可能である卓上切断工具。
【請求項２】
請求項１記載の卓上切断工具であって、前記第２可動フェンスは、前記基台部に対して左右方向にスライド可能に支持された卓上切断工具。
【請求項３】
請求項１又は２記載の卓上切断工具であって、前記第２可動フェンスが、前記基台部に直接支持された卓上切断工具。
【請求項４】
請求項１〜３の何れか１項に記載した卓上切断工具であって、前記第２可動フェンスに前記位置決め面を有する卓上切断工具。
【請求項５】
請求項１〜４の何れか１項に記載した卓上切断工具であって、前記基台部に前記位置決め面を有する卓上切断工具。
【請求項６】
請求項１〜５の何れか１項に記載した卓上切断工具であって、前記基台部の上部に前記第２可動フェンスが支持された卓上切断工具。
【請求項７】
請求項１〜６の何れか１項に記載した卓上切断工具であって、前記第２可動フェンスは、前記第１可動フェンスよりも高くならない退避位置に移動可能な構成とした卓上切断工具。
【発明の詳細な説明】
【技術分野】
【０００１】
この発明は、テーブル上に載置した切断材を切断加工する卓上切断工具に関する。
【背景技術】
【０００２】
この種の切断工具では、テーブル上に切断材を位置決めするための位置決めフェンスが備え付けられている。この位置決めフェンスの位置決め面に切断材を当接させて当該切断材のテーブル上の位置決めがなされる。多くの場合、この位置決めフェンスは、切断刃に対して左右に配置されており、安定した切断加工を実現するために切断刃（切断部位）に極力近い範囲にまで位置決め面を配置するための改良が加えられている。
一方、この種の切断工具には、工具本体部を左方または右方へ傾斜させて切断刃を切断材に対して斜めに切り込んで行う傾斜切りを可能とし、あるいはテーブルを左方又は右方に回転させて切断刃を平面的に見て斜めに切り込ませる斜め切りを可能とする機能を備えている。この傾斜切り等を行う際には、切断刃が使用者から見て左側若しくは右側に傾いて位置決めフェンスに対する相対位置が変化する。このため、従来位置決めフェンスには、切断刃との干渉を回避するため位置決め面の一部を可動式にして切断刃から離間する方向に退避可能としたものが提供されている。係る可動式の位置決めフェンスに関する従来の技術が下記の特許文献に記載されている。
特許文献１には、位置決め面の一部を左右方向にスライドさせて退避可能とした技術が開示され、特許文献２，３には、位置決め面の一部を上下に回転させて退避可能とした技術が開示され、特許文献４には位置決め面の一部をスライド式とし、係るスライド受け面にさらに回転式の位置決め面を設けた技術が開示されている。これら従来の技術によれば、切断刃を傾斜させた傾斜切り時等には位置決め面の一部を切断刃に干渉しない位置まで退避可能とすることにより、切断刃を直角に位置させた直角切り時には位置決め面を極力切断刃に接近させて位置させることでより安定した切断加工を行うことができるようになっていた。
【先行技術文献】
【特許文献】
【０００３】
【特許文献１】特開２００９−２５５２７３号公報
【特許文献２】特開２００６−１６７８８５号公報
【特許文献３】特開平９−１０３９１３号公報
【特許文献４】米国特許第５７５５１４８号明細書
【発明の概要】
【発明が解決しようとする課題】
【０００４】
しかしながら、切断刃を直角に位置させた直角切り時について、位置決めフェンスの位置決め面をより一層接近させたいとの要望があり、この要望を実現するためには従来の位置決め面の退避構造では退避量が不十分で切断刃の十分な傾斜角度に対応できない問題があった。
本発明は、係る従来の問題を解消するためになされたもので、位置決めフェンスの位置決め面について直角切り時においてより切断刃に接近させることができる一方、傾斜切り時等には従来よりも大きな退避量で位置決め面の一部若しくは全体を退避させることができるようにすることを目的とする。
【課題を解決するための手段】
【０００５】
上記の課題は以下の各発明により解決される。
本願発明は、切断材を載置するテーブルと、テーブルに支持された工具本体部と、テーブルに載置した切断材を当接させてテーブル面方向に位置決めする位置決めフェンスを備えた卓上切断工具である。本願発明では、位置決めフェンスは、基台部と、基台部に対してそれぞれ移動可能な第１及び第２可動フェンスを備えている。本願発明では、基台部と第１可動フェンスと第２可動フェンスの少なくとも一つに切断材を当接させてテーブル面方向に位置決めするための位置決め面を備えている。本願発明では、第１可動フェンスは、第２可動フェンスの移動とは独立して回動可能となっている。
本願発明によれば、第１可動フェンスのみを回動操作して使用位置から退避位置に移動させた状態と、第１及び第２可動フェンスの双方を使用位置から退避位置に移動させた状態とを選択することができることから、切断刃に対して干渉しない範囲で極力近い部位に位置決めフェンスを位置させて切断加工を行うことができる。
本願発明において、第２可動フェンスは、基台部に対して左右方向にスライド可能に支持された卓上切断工具とすることができる。
本願発明において、第２可動フェンスが、基台部に直接支持された卓上切断工具とすることができる。
本願発明において、第２可動フェンスに位置決め面を有する卓上切断工具とすることができる。
係る構成によれば、第２可動フェンスを使用位置に位置させておくことにより、切断材を位置決め面に当接させてテーブル面方向に位置決めすることができる。
本願発明において、基台部に位置決め面を有する卓上切断工具とすることができる。係る構成によれば、基台部の位置決め面に切断材を当接させてテーブル面方向に位置決めすることができる。
本願発明において、基台部の上部に第２可動フェンスが支持された卓上切断工具とすることができる。係る構成によれば、位置決めフェンスの高さを変更することができる。位置決めフェンスの高さを低くすることにより、傾斜切り時における切断機本体との干渉を回避することができ、ひいては切断機本体の傾斜角度を大きく設定することができる。
本願発明は、第１〜第６の何れか一つの発明において、第２可動フェンスは、第１可動フェンスよりも高くならない退避位置に移動可能な構成とした卓上切断工具とすることができる。
【図面の簡単な説明】
【０００６】
【図１】本実施形態に係る卓上切断工具全体の左側面図である。本図は、工具本体部を上死点に位置させた状態を示している。
【図２】本実施形態に係る卓上切断工具全体の右側面図である。本図は、工具本体部を上死点に位置させた状態を示している。
【図３】図１中(III)矢視図であって、本実施形態に係る卓上切断工具の正面図である。
【図４】図１(IV)矢視図であって、本実施形態に係る卓上切断工具の後面図である。
【図５】卓上切断工具全体の左側面図である。本図は、工具本体部を下死点に位置させた状態を示している。
【図６】卓上切断工具全体の右側面図である。本図は、工具本体部を下死点に位置させた状態を示している。
【図７】図５中(VII)矢視図であって、卓上切断工具全体の平面図である。
【図８】卓上切断工具全体の正面図である。本図は、工具本体部を左側へ傾斜させた状態を示している。
【図９】卓上切断工具全体の後面図である。本図は、工具本体部を左側へ傾斜させた状態を示している。
【図１０】位置決めフェンス単体の全体斜視図である。本図では、第１及び第２可動フェンスがともに使用位置に位置する状態を示している。
【図１１】図１３中(XI)-(XI)線断面矢視図であって、位置決めフェンスの縦断面図である。
【図１２】位置決めフェンスの正面図である。本図は、第１及び第２可動フェンスがともに使用位置に位置する状態を示している。
【図１３】位置決めフェンスの後面図である。本図は、図１２に示す状態の位置決めフェンスの後面図を示している。
【図１４】位置決めフェンスの正面図である。本図は、第１可動フェンスを係合解除位置に移動させた状態を示している。
【図１５】位置決めフェンスの後面図である。本図は、図１４に示す状態の位置決めフェンスの後面図を示している。
【図１６】位置決めフェンスの正面図である。本図は、第１可動フェンスを退避位置に移動させた状態を示している。
【図１７】位置決めフェンスの後面図である。本図は、図１６に示す状態の位置決めフェンスの後面図を示している。
【図１８】位置決めフェンスの正面図である。本図は、第１及び第２可動フェンスをともに退避位置に移動させた状態を示している。
【図１９】位置決めフェンスの後面図である。本図は、図１８に示す状態の位置決めフェンスの後面図を示している。
【図２０】照明装置の縦断面図である。
【発明を実施するための形態】
【０００７】
次に、本発明の実施形態を図１〜図２０に基づいて説明する。図１において、使用者は卓上切断工具１の右側に位置する。以下の説明において、部材及び構成について前後、左右、上下等の方向については使用者を基準にして用いる。
図１〜図７に示すように本実施形態に係る卓上切断工具１は、切断材Ｗを載置するテーブル２０と、テーブル２０を左右方向（水平方向）に回転可能に支持するベース３０と、テーブル２０の後部に設けた本体支持部４０を介して上下に揺動操作可能かつ前後にスライド操作可能に支持された工具本体部１０を備えている。
テーブル２０の前部には、当該テーブル２０の回転位置をロックする２系統のロック機構及びこれを解除するロック解除レバー２１，２２等が配置されている。ベース３０には左右一対の補助テーブル部３１，３１が設けられている。この左右の補助テーブル部３１，３１は、テーブル２０の左右に位置している。左右の補助テーブル部３１，３１の上面とテーブル２０の上面は精確に相互に面一に設定されている。左右の補助テーブル部３１，３１間に跨る大型の切断材Ｗを安定した状態で載置できるようになっている。
左右の補助テーブル部３１，３１には、側方へ大きく張り出す状態でホルダ３２，３２が設けられている。両ホルダ３２，３２には、さらに大型の切断材Ｗを載置するための追加テーブル等の切断補助具（図示省略）を取り付けることができる。両ホルダ３２，３２は、補助テーブル部３１，３１の後部に設けた固定ねじ３３，３３を緩めることにより取り外すことができる。
左右の補助テーブル部３１，３１間には、位置決めフェンス５０が跨った状態で取り付けられている。位置決めフェンス５０は、切断材Ｗをテーブル面方向に位置決めするための部材で、これの詳細については後述する。
【０００８】
本体支持部４０は、テーブル２０の後部に設けた傾動基台部４１と、傾動基台部４１に回転可能に結合された傾動支持部４２と、傾動支持部４２に一体に設けられ、上方へ延びる支持アーム部４３と、支持アーム部４３の上部に設けられたスライド支持部４４と、スライド支持部４４の先端に設けられて、工具本体部１０を上下に揺動可能に支持する揺動支持部４５を備えている。傾動基台部４１と傾動支持部４２との間には、工具本体部１０を図３，４に示す直角切り位置や図８，９に示す左側へ４５°傾斜させた傾斜切り位置に位置決めするための傾斜位置決め機構が内装されている。傾斜基台部４１に対する傾動支持部４２の回転中心であって、工具本体部１０の左右傾動軸線は、テーブル２０の上面に一致し、かつテーブル２０の回転中心を通る軸線に一致している。傾斜基台部４１に対する傾動支持部４２の回転位置であって、工具本体部１０の直角切り位置あるいは傾斜位置は、固定レバー４６を締め込むことにより固定される。
スライド支持部４４は、相互に平行で前後にスライド可能な左右一対のスライドバー４４ａ，４４ａを備えている。両スライドバー４４ａ，４４ａの先端部に、揺動支持部４５が取り付けられている。揺動支持部４５に揺動支軸４７を介して工具本体部１０が上下に揺動（傾動）可能に支持されている。両スライドバー４４ａ，４４ａを前後にスライドさせることにより工具本体部１０を前後に一定の範囲でスライドさせることができ、かつ上下に一定の角度範囲で上下に傾動操作することができる。
工具本体部１０は、電動モータ１１により回転する円形の回転刃具１２と、回転刃具１２の上部側を覆うブレードケース１３と、回転刃具１２の下部側を覆う可動カバー１４を備えている。ブレードケース１３の後部が揺動支軸４７を介して揺動支持部４５に支持されている。ブレードケース１３の背面側（右側部）に、減速ギヤ部１６を介して電動モータ１１が取り付けられている。減速ギヤ部１６は、減速ギヤ列とこれを収容するギヤハウジングを備えている。この減速ギヤ部１６により電動モータ１１の回転出力が減速されて、図示省略したスピンドルに伝達される。スピンドルに回転刃具１２が取り付けられている。
図２，６に示すように電動モータ１１のモータハウジングの後面には、複数の吸気孔が設けられている。電動モータ１１が起動すると内蔵した冷却ファンが回転することにより、この吸気孔を経て外気（モータ冷却風）がモータハウジング内に導入される。導入されたモータ冷却風はモータハウジング内の前部側に流れることにより当該電動モータ１１の冷却がなされる。また、モータハウジングの後部側にはモータ制御用のコントローラが内装されている。このコントローラもモータ冷却風により冷却される。導入されたモータ冷却風の一部はモータハウジングの前部に設けた排気孔を経て外部に排気され、残余のモータ冷却風はブレードケース１３内に排出される。
減速ギヤ部１６のギヤハウジングの上部には、ループ形をなす前側のメインハンドル１５ａと後ろ側のサブハンドル１５ｂを併設した大型のハンドル部１５が設けられている。メインハンドル１５ａの内周側に起動用のスイッチレバー１５ｃが配置されている。
【０００９】
位置決めフェンス５０は、テーブル２０の後部側に設けられている。位置決めフェンス５０の詳細が図１０以下に示されている。この位置決めフェンス５０は、回転刃具１２に対して右側に位置する部位と左側に位置する部位を有している。以下、右側フェンス５０Ｒ、左側フェンス５０Ｌと称して区別する。右側フェンス５０Ｒは、一つの固定フェンス５５を備えている。左側フェンス５０Ｌは、基台部５３と第１可動部材５１と第２可動部材５２を備えている。右側フェンス５０Ｒの固定フェンス５５と左側フェンス５０Ｌの基台部５３が半円弧形の結合アーム部５４を介して相互に結合されている。右側フェンス５０Ｒの固定フェンス５５の前面は、その全面にわたって切断材Ｗの後面を当接させて位置決めする位置決め面５５ａとなっている。位置決め面５５ａは、その平面度及びテーブル２０の上面に対する直角度等について高精度で加工されている。
本実施形態に係る位置決めフェンス５０は、左側フェンス５０Ｌについて大きな特徴を有している。基台部５３は、右側フェンス５０Ｒの固定フェンス５５よりも低く形成されている。基台部５３の右端部５３ｂ（回転刃具側の端部）は、４５°よりも大きな角度で傾斜している。この点、右側フェンス５０Ｒの固定フェンス５５の左端部５５ｂ（回転刃具側の端部）は、僅かな角度（例えば１０°程度）で傾斜している。このことから、工具本体部１０の左右傾斜角度については左側に大きな傾斜角度が許容されるようになっている。本実施形態では、基台部５３の前面の全体について、切断材Ｗを当接、位置決めするための位置決め面５３ａが設定されている。
【００１０】
基台部５３の上部に沿って第２可動フェンス５２が支持されている。この第２可動フェンス５２は、左右に長く上下に細い前面を有するもので、左右にスライド可能に支持されている。図１１に示すように第２可動フェンス５２の下面には、案内凸部５２ｂが長手方向に沿って設けられている。この案内凸部５２ｂが、基台部５３の上面に設けられた案内溝部５３ｃ内に挿入されて、当該第２可動フェンス５２が基台部５３の上部に沿って左右にスライド可能に支持されている。
第２可動フェンス５２のスライド位置は、摘みねじ５６を締め込むことにより任意の位置で固定することができる。本実施形態では、この第２可動フェンス５２についても、その前面の全体が位置決め面５２ａとされている。
第２可動フェンス５２に、第１可動フェンス５１が支持されている。図１３，１５，１７に示すように第１可動フェンス５１には、支持アーム部５１ｄが一体に設けられている。第１可動フェンス５１は、支軸５７を介して上下に回動可能な状態で第２可動フェンス５２の後面側に支持されている。支軸５７は、支持アーム部５１ｄの左端部（回動基端部側）に設けた長溝孔形状の支持孔５１ｂ内に挿通されている。この支持孔５１ｂ内において支軸５７が相対移動可能な範囲で、当該第１可動フェンス５１は左右に変位可能となっている。第１可動フェンス５１は、図１２，１３に示す使用位置と、図１４，１５に示す係合解除位置との間で左右方向に変位させることができる。図１２，１３に示すように第１可動フェンス５１を使用位置に位置させると、その前面を第２可動フェンス５２の位置決め面５２ａと基台部５３の位置決め面５３ａの右側に面一に位置させた状態となる。本実施形態では、第１可動フェンス５１の前面についても切断材Ｗが当接される位置決め面５１ａとされている。第１及び第２可動フェンス５１，５２の位置決め面５１ａ，５２ａと基台部５３の位置決め面５３ａにより、右側フェンス５０Ｒとほぼ同等の面積を有する広い位置決め面が形成される。
第１可動フェンス５１を使用位置及び係合解除位置に位置させた状態では、支持アーム部５１ｄは第２可動フェンス５２の上端からはみ出さない太さに設定されている。
【００１１】
第１可動フェンス５１の支持アーム部５１ｄの長手方向回動先端側には、係合凹部５１ｃが設けられている。この係合凹部５１ｃは支持孔５１ｂと同じ方向に長く形成されている。この係合凹部５１ｃは、図１３，１５，１７において、下側に開口されている。一方、第２可動フェンス５２の背面側には、係合軸部５８が設けられている。この係合軸部５８は後方へ突き出す状態に設けられている。第１可動フェンス５１を下方へ回動して使用位置（図１３に示す位置）及び係合解除位置（図１５に示す位置）に位置させた状態では、この係合軸部５８が係合凹部５１ｃ内に進入した状態となる。第１可動フェンス５１を図１５に示す係合解除位置に移動させると、係合軸部５８が係合凹部５１ｃの開口の上側に相対変位して相対的に下方へ抜け出し可能な状態となる。このため、当該第１可動フェンス５１は係合解除位置に移動させた状態で上方へ回動可能となる。
図１６及び図１７に示すように第１可動フェンス５１は、支軸５７を中心にして１８０度回転させることにより左右反転させることができる。図１８及び図１９に示すように、第１可動フェンス５１を左側に反転させた状態で、さらに摘みねじ５６を緩めることにより第２可動フェンス５２を左側へスライドさせて退避位置に移動させることができる。第２可動フェンス５２を退避位置に移動させることにより、当該位置決めフェンス５０の左側フェンス５０Ｌの高さを基台部５３の高さまで低くすることができる。
【００１２】
次に、工具本体部１０を支持する揺動支持部４５の前面には、夜間や暗所での切断作業の便宜を図るために切断部位を明るく照らすための照明装置６０が装備されている。この照明装置６０の詳細が図２０に示されている。この照明装置６０は、図３に示すように揺動支持部４５の右側前面であって、正面視で回転刃具１２よりも右側に取り付けられている。また、この照明装置６０は、工具本体部１０の揺動支点（揺動支軸４７）よりも下側に配置されている。この照明装置６０により、切断部位（刃先）が明るく照らされる。
図２０に示すようにこの照明装置６０は、３つのＬＥＤ６２〜６２（発光ダイオード）を光源としている。３つのＬＥＤ６２〜６２は、制御基板６１に搭載されている。３つのＬＥＤ６２〜６２は同一円周上の三等分位置に配置されている。しかも、３つのＬＥＤ６２〜６２は、その照射方向を相互に平行とする向き（姿勢）で相互に接近して配置されている。
３つのＬＥＤ６２〜６２は、照明ケース６３内に収容されている。照明ケース６３の前部には透明カバー６４が取り付けられている。透明カバー６４は、まっすぐ前側（使用者側）に向けられている。但し、透明カバー６４は、やや下方へ向けられている。
図２０に示すように３つのＬＥＤ６２〜６２の照射方向は、側面視で下向きに傾斜した方向とされている。また、３つのＬＥＤ６２〜６２の照射方向は、平面視で左側へ傾斜した方向とされている。このため、図２０において（右側面視で）、制御基板６１の裏面が見えている。
このように、正面視で回転刃具１２に対して右側にオフセットした位置に照明装置６０が取り付けられ、３つのＬＥＤ６２〜６２がその照射方向を側面視で下向きかつ平面視で左側に傾斜した向きとする姿勢で照明ケース６３内に収容されていることにより、回転刃具１２の刃先（切断部位）が効率よく照らされるようになっている。本実施形態では、図６に示すように工具本体部１０を下降端まで下動させた状態において、減速ギヤ部１６の下端面を通る仮想水平面Ｖを想定したときに、この仮想水平面Ｖより下方かつテーブル２０の上面よりも上方の領域Ｓにおける刃先に向けて照射されるように３つのＬＥＤ６２〜６２の照射方向が設定されている。
【００１３】
以上のように構成した卓上切断工具１によれば、テーブル２０上に切断材Ｗを位置決めするための位置決めフェンス５０は、使用位置と退避位置との間を移動操作可能な２つの可動フェンス５１，５２を備えている。第１可動フェンス５１は上下に回動可能に設けられ、第２可動フェンス５２は左右にスライド可能に設けられている。
図１２，１３に示すように回転刃具１２をテーブル面に対して直角に位置させた直角きり作業では、第１及び第２可動フェンス５１，５２をそれぞれ使用位置に位置させておくことができる。第１及び第２可動フェンス５１，５２をそれぞれ使用位置に位置させておくことにより、左右フェンス５０Ｌ，５０Ｒを回転刃具１２に最大限接近させた状態とすることができ、これにより切断材Ｗの位置決めをより確実に行うことができ、また切断粉等の後方への飛散を効率よく防止することができる。
図１４，１５に示すように第１可動フェンス５１を右側へ僅かにスライドさせて係合解除位置に移動させると、係合軸部５８が係合凹部５１ｃ内で相対変位して開口の上方に変位し、これにより当該第１可動フェンス５１を上方へ回動可能な状態となる。
【００１４】
図１６，１７に示すように第１可動フェンス５１を支軸５７を中心にして上方へ回動させて左右に反転させることにより当該第１可動フェンス５１を退避位置に移動させることができる。こうして第１可動フェンス５１を退避位置に移動させることにより、回転刃具１２を例えば左側に４５°傾斜させて傾斜切りを行うことができる。この段階で、第２可動フェンス５２は使用位置に位置させたまま傾斜切りを行うことができる。
図１８，１９に示すように第１可動フェンス５１を退避位置に移動させた後、さらに第２可動フェンス５２を左方へスライドさせて退避位置に移動させることができる。第２可動フェンス５２を退避位置に移動させることにより、左側フェンス５０Ｒの高さを実質的に基台部５３の高さまで低くすることができる。この状態では、図８，９に示すように工具本体１０をさらに左側へ大きな角度で傾斜させて傾斜切りを行うことができる。
このように、第１可動フェンス５１は、第２可動フェンス５１を使用位置に位置させた状態で退避位置に移動させることができる。このため、第１可動フェンス５１のみを上方へ回動操作して使用位置から退避位置に移動させた状態と、第１及び第２可動フェンス５１，５２の双方を使用位置から退避位置に移動させた状態とを選択することができることから、回転刃具１２若しくは工具本体部１０に対して干渉しない範囲で極力回転刃具１２に近い部位に位置決め面を位置させて切断加工を行うことができる。
【００１５】
以上説明した実施形態には種々変更を加えることができる。例えば、第１及び第２可動フェンス５１，５２に加えて、基台部５３についても位置決め面５３ａを設定した構成を例示したが、基台部５３については位置決め面５３ａを省略してもよい。また、第１及び第２可動フェンス５１，５２の位置決め面５１ａ，５２ａの一方を省略してもよい。位置決めフェンス５０の機能として、切断材Ｗの位置決め機能に加えて、切断粉若しくは切断片の後方へ飛散を防止する切断粉等飛散防止機能を備えることを考慮すれば、第１又は第２可動フェンス５１，５２若しくは基台部５３について何れか一つの前面に位置決め面を設定し、その他については上記の切断粉等飛散防止機能を発揮させる構成とすることができる。
また、左側フェンス５０Ｌについて、第１、第２可動フェンス５１，５２を設定した構成を例示したが、右側フェンス５０Ｒについて設定してもよく、さらには左右両側について例示した可動フェンスを設定してもよい。
【符号の説明】
【００１６】
１…卓上切断工具
Ｗ…切断材
１０…工具本体部
１１…電動モータ
１２…回転刃具
１３…ブレードケース
１４…可動カバー
１５…ハンドル部
１５ａ…メインハンドル、１５ｂ…サブハンドル、１５ｃ…スイッチレバー
１６…減速ギヤ部
Ｖ…仮想水平面
Ｓ…仮想水平面Ｖよりも下方の領域
２０…テーブル
２１，２２…ロック解除レバー
３０…ベース
３１…補助テーブル部
３２…ホルダ
３３…固定ねじ
４０…本体支持部
４１…傾動基台部
４２…傾動支持部
４３…支持アーム部
４４…スライド支持部、４４ａ…スライドバー
４５…揺動支持部
４６…固定レバー
４７…揺動支軸
５０…位置決めフェンス
５０Ｒ…右側フェンス、５０Ｌ…左側フェンス
５１…第１可動フェンス
５１ａ…位置決め面、５１ｂ…支持孔，５１ｃ…係合凹部、５１ｄ…支持アーム部
５２…第２可動フェンス
５２ａ…位置決め面、５２ｂ…案内凸部
５３…基台部
５３ａ…位置決め面、５３ｂ…右端部、５３ｃ…案内溝部
５４…結合アーム部
５５…固定フェンス
５５ａ…位置決め面、５５ｂ…左端部
５６…摘みねじ
５７…支軸
５８…係合軸部
６０…照明装置
６１…制御基板
６２…ＬＥＤ（発光ダイオード）
６３…照明ケース
６４…透明カバー
【図１】
2015123542.tif 000003
【図２】
2015123542.tif 000004
【図３】
2015123542.tif 000005
【図４】
2015123542.tif 000006
【図５】
2015123542.tif 000007
【図６】
2015123542.tif 000008
【図７】
2015123542.tif 000009
【図８】
2015123542.tif 000010
【図９】
2015123542.tif 000011
【図１０】
2015123542.tif 000012
【図１１】
2015123542.tif 000013
【図１２】
2015123542.tif 000014
【図１３】
2015123542.tif 000015
【図１４】
2015123542.tif 000016
【図１５】
2015123542.tif 000017
【図１６】
2015123542.tif 000018
【図１７】
2015123542.tif 000019
【図１８】
2015123542.tif 000020
【図１９】
2015123542.tif 000021
【図２０】
2015123542.tif 000022